(57)【要約】【課題】受信動作の確認または判定を容易に行うとともに、検査に適用可能な周波数を増やす。【解決手段】増幅器の非線形性により生じる３次の相互変調波の周波数成分を取得する受信レベル検出部１２と、上記３次の相互変調波の周波数成分に対応する上記受信周波数帯での受信動作の検査を行う受信判定部１５と、を備える構成である。【選択図】図１
2014053696.tif 000002
【特許請求の範囲】
【請求項１】
複数の送信周波数帯と、１以上の受信周波数帯とを有し、
上記受信周波数帯の受信信号を増幅する増幅器を備える無線通信装置において、
上記複数の送信周波数帯のうちの異なる２つの送信周波数帯における信号送信をそれぞれ行う信号送信手段と、
上記異なる２つの送信周波数帯における送信信号を受信信号として受信し、該受信信号の上記増幅器への入力に応じて該増幅器の非線形性により生じる３次の相互変調波の周波数成分を取得する相互変調波取得手段と、
上記３次の相互変調波の周波数成分に対応する上記受信周波数帯での受信動作の検査を行う受信検査手段と、を備えることを特徴とする無線通信装置。
【請求項２】
上記異なる２つの送信周波数帯における送信信号の周波数を、それぞれ、ｆｔ１およびｆｔ２とし、
上記３次の相互変調波の周波数を、ｆｒとしたとき、
ｆｒ＝２×ｆｔ１−ｆｔ２、または、ｆｒ＝ｆｔ１−２×ｆｔ２
の関係であることを特徴とする請求項１に記載の無線通信装置。
【請求項３】
さらに、上記信号送信手段による送信の後、上記異なる２つの送信周波数帯の少なくともいずれかの送信レベルを変更し、再度、上記異なる２つの送信周波数帯における送信をそれぞれ行う信号再送信手段と、
上記異なる２つの送信周波数帯における再度の送信信号を再受信信号として受信し、該再受信信号の上記増幅器への入力に応じて該増幅器の非線形性により生じる３次の相互変調波の周波数成分を取得する相互変調波再取得手段と、を備え、
上記受信検査手段は、上記相互変調波取得手段が取得した上記周波数成分の受信レベルと、上記相互変調波再取得手段が取得した上記周波数成分の受信レベルとに基づいて、上記受信動作の検査を行うことを特徴とする請求項１または２に記載の無線通信装置。
【請求項４】
上記信号再送信手段は、再送信の際、異なる２つの送信周波数帯のいずれか一方の送信レベルを変更し、
上記受信検査手段は、
上記変更前の送信レベルと上記変更後の送信レベルとの差に対する、
上記相互変調波取得手段が取得した上記周波数成分の受信レベルと上記相互変調波再取得手段が取得した上記周波数成分の受信レベルとの差の比に基づいて、上記受信動作の検査を行うことを特徴とする請求項３に記載の無線通信装置。
【請求項５】
上記複数の送信周波数帯において異なる２つの送信周波数帯の組を複数有しており、
上記信号送信手段は、
上記異なる２つの送信周波数帯の第１の組に対応する送信信号を送信する第１の信号送信手段と、
上記異なる２つの送信周波数帯の第２の組に対応する送信信号を送信する第２の信号送信手段と、を備えており、
上記相互変調波取得手段は、
上記第１の組の送信周波数帯により生じる３次の相互変調波の周波数成分を取得する第１の相互変調波取得手段と、
上記第２の組の送信周波数帯により生じる３次の相互変調波の周波数成分を取得する第２の相互変調波取得手段と、を備えており、
上記受信検査手段は、上記第１の相互変調波取得手段が取得する相互変調波の周波数成分に対応する受信周波数帯と、上記第２の相互変調波取得手段が取得する相互変調波の周波数成分に対応する受信周波数帯とにおける受信動作の検査を行う、
ことを特徴とする請求項１に記載の無線通信装置。
【請求項６】
複数の送信周波数帯と、１以上の受信周波数帯とを有し、
上記受信周波数帯の受信信号を増幅する増幅器を備える無線通信装置の制御プログラムであって、
上記複数の送信周波数帯のうちの異なる２つの送信周波数帯における信号送信をそれぞれ行う信号送信ステップと、
上記異なる２つの送信周波数帯における送信信号を受信信号として受信し、該受信信号の上記増幅器への入力に応じて該増幅器の非線形性により生じる３次の相互変調波の周波数成分を取得する相互変調波取得ステップと、
上記３次の相互変調波の周波数成分に対応する上記受信周波数帯での受信動作の検査を行う受信検査ステップと、を上記無線通信装置が備えるコンピュータに実行させることを特徴とする無線通信装置の制御プログラム。
【請求項７】
複数の送信周波数帯と、１以上の受信周波数帯とを有し、
上記受信周波数帯の受信信号を増幅する増幅器を備える無線通信装置の制御方法において、
上記複数の送信周波数帯のうちの異なる２つの送信周波数帯における信号送信をそれぞれ行う信号送信ステップと、
上記異なる２つの送信周波数帯における送信信号を受信信号として受信し、該受信信号の上記増幅器への入力に応じて該増幅器の非線形性により生じる３次の相互変調波の周波数成分を取得する相互変調波取得ステップと、
上記３次の相互変調波の周波数成分に対応する上記受信周波数帯での受信動作の検査を行う受信検査ステップと、を含むことを特徴とする無線通信装置の制御方法。
【発明の詳細な説明】
【技術分野】
【０００１】
本発明は、複数の送信周波数帯域と、１以上の受信周波数帯域とを有する無線通信装置、制御プログラム、および、無線通信装置の制御方法に関する。
【背景技術】
【０００２】
近年、携帯電話機に代表される無線通信装置には、携帯電話網への接続機能だけでなく、ＷＬＡＮ（Wireless LAN）や、ＷｉＭＡＸといった無線通信方式による送受信機能や、地上デジタル放送（ＤＴＶ）波受信機能等を備えるものがある。
【０００３】
このような無線通信装置は、複数の機能それぞれに対応する送受信周波数帯に共振するアンテナを有している。従来、複数の送受信周波数帯を有する無線通信装置の受信動作の検査においては、検査しようとする受信周波数（アンテナ）に応じて検査用の送信設備を設置していた。
【０００４】
しかしながら、検査しようとする受信周波数（アンテナ）ごとに、送信設備を設置することは検査コストの上昇を招く。そこで、従来、検査コストを抑えるため、無線通信装置において、受信部の動作確認を自己診断により行うことが提案されていた（特許文献１）。
【０００５】
特許文献１には、ＧＳＭ（登録商標）（Global System for Mobile Communications）の送信波とＷＬＡＮの送信波との混合波によりＤＴＶの帯域の周波数を生成し、ＤＴＶ受信動作を確認することが開示されている。
【先行技術文献】
【特許文献】
【０００６】
【特許文献１】国際公開第２００８／１３２８８５号公報（２００８年１１月６日公開）
【発明の概要】
【発明が解決しようとする課題】
【０００７】
しかしながら、上述のような従来技術は混合波を用いており、携帯電話機能の送信信号および無線ネットワーク通信機能の送信機能の両送信信号の差の周波数を利用するにとどまっていた。従って、多様な周波数帯の検査には対応できていなかった。
【０００８】
本発明は、上記問題に鑑みてなされたものであり、その目的は、受信動作の確認または判定を容易に行うことができ、なおかつ検査に適用可能な周波数を多くできる無線通信装置、制御プログラム、および、無線通信装置の制御方法を実現することにある。
【課題を解決するための手段】
【０００９】
上記の課題を解決するために、本発明に係る無線通信装置は、複数の送信周波数帯と、１以上の受信周波数帯とを有し、上記受信周波数帯の受信信号を増幅する増幅器を備える無線通信装置において、上記複数の送信周波数帯のうちの異なる２つの送信周波数帯における信号送信をそれぞれ行う信号送信手段と、上記異なる２つの送信周波数帯における送信信号を受信信号として受信し、該受信信号の上記増幅器への入力に応じて該増幅器の非線形性により生じる３次の相互変調波の周波数成分を取得する相互変調波取得手段と、上記３次の相互変調波の周波数成分に対応する上記受信周波数帯での受信動作の検査を行う受信検査手段と、を備えることを特徴とする。
【００１０】
上記の課題を解決するために、本発明に係る無線通信装置の制御プログラムは、複数の送信周波数帯と、１以上の受信周波数帯とを有し、上記受信周波数帯の受信信号を増幅する増幅器を備える無線通信装置の制御プログラムであって、上記複数の送信周波数帯のうちの異なる２つの送信周波数帯における信号送信をそれぞれ行う信号送信ステップと、上記異なる２つの送信周波数帯における送信信号を受信信号として受信し、該受信信号の上記増幅器への入力に応じて該増幅器の非線形性により生じる３次の相互変調波の周波数成分を取得する相互変調波取得ステップと、上記３次の相互変調波の周波数成分に対応する上記受信周波数帯での受信動作の検査を行う受信検査ステップと、を上記無線通信装置が備えるコンピュータに実行させることを特徴とする。
【００１１】
上記の課題を解決するために、本発明に係る無線通信装置の制御方法は、複数の送信周波数帯と、１以上の受信周波数帯とを有し、上記受信周波数帯の受信信号を増幅する増幅器を備える無線通信装置の制御方法において、上記複数の送信周波数帯のうちの異なる２つの送信周波数帯における信号送信をそれぞれ行う信号送信ステップと、上記異なる２つの送信周波数帯における送信信号を受信信号として受信し、該受信信号の上記増幅器への入力に応じて該増幅器の非線形性により生じる３次の相互変調波の周波数成分を取得する相互変調波取得ステップと、上記３次の相互変調波の周波数成分に対応する上記受信周波数帯での受信動作の検査を行う受信検査ステップと、を含むことを特徴とする。
【００１２】
上記無線通信装置は、無線による送受信を行うものである。上記無線通信装置は、複数の送信周波数帯と、１以上の受信周波数帯とを有している。また、上記無線通信装置は、受信周波数帯において受信した受信信号を増幅する増幅器を備える。
【００１３】
増幅器は、受信信号を増幅するための高周波増幅器であり、例えば、低雑音増幅器（ＬＮＡ）を採用することができる。
【００１４】
上記構成によれば、複数の送信周波数帯のうちの異なる２つの送信周波数帯における送信をそれぞれ行うとともに、上記異なる２つの送信周波数帯における受信信号の上記増幅器への入力に応じて該増幅器の非線形性により生じる３次の相互変調波の周波数成分を取得する。
【００１５】
増幅器の非線形性とは、入力と出力との間に非直線性があるということである。このような非線形性を有する増幅器に正弦波信号を入力した場合、高調波が発生する。
【００１６】
具体的には、２つの異なる周波数ｆｔ１、ｆｔ２の信号（以下、基本波という）を、このような入出力特性を有する増幅器に入力した場合、増幅器の非直線性により２×ｆｔ１、２×ｆｔ２という２次高調波が発生する。
【００１７】
上記構成によれば、高調波が発生することにより生じる３次の相互変調波を取得する。３次の相互変調波ｆｒＡおよびｆｒＢは、それぞれ、以下の式（１）および（２）により表わすことができる。
【００１８】
ｆｒＡ  ＝  ２×ｆｔ１−ｆｔ２  ・・・（１）
ｆｒＢ  ＝  ｆｔ１−２×ｆｔ２  ・・・（２）
このように、２つの基本波から、式（１）および（２）で表されるような２つの周波数帯を得ることができる。
【００１９】
上記構成によれば、上記相互変調波に対応する上記受信周波数帯での受信動作の検査を行うことができる。
【００２０】
上記相互変調波に対応する上記受信周波数帯での受信動作とは、例えば、ｆｒＡまたはｆｒＢの周波数により通信可能な通信方式の受信動作である。
【００２１】
例えば、ｆｔ１として、ＷＣＤＭＡのＢａｎｄ１１（１．５ＧＨｚ）の送信波を用い、かつ、ｆｔ２として、ＷＬＡＮ（２．４ＧＨｚ）の送信波を用いた場合、相互変調波の上記式（１）によりｆｒＡ  ＝  ２×１．５−２．４＝０．６≒０．５（ＧＨｚ）の周波数成分が得られる。
【００２２】
ここで、ＤＴＶは、０．５ＧＨｚの周波数帯を有している。よって、上記の相互変調波の周波数成分によりＤＴＶの受信動作を確認することができる。
【００２３】
この受信動作の確認は、種々の指標に基づいて行うことができる。例えば、受信動作の確認は、受信周波数での受信レベル（ＲＳＳＩ等）を検出することで行うことができる。受信動作の確認を、ＲＳＳＩを基準に行う場合、例えば、ＲＳＳＩが所定の閾値以上であるか否かを判定すればよい。
【００２４】
これにより、アンテナ接点の接触不良や、受信回路の動作不良等の検査を、付加回路及び設備の追加なしで無線通信装置単独で行うことができる。
【００２５】
さらに、上記検査において３次の相互変調波を検査に用いる上記構成は、混合波（ｆｔ１−ｆｔ２）を用いる構成と比べて、次のような技術的優位性が存在する。すなわち、受信レベルが、混合波（ｆｔ１-ｆｔ２）の場合、ｆｔ１およびｆｔ２の振幅の積に比例するのに対し、３次の相互変調波“２×ｆｔ１-ｆｔ２（ｆｔ１−２×ｆｔ２）”の場合、ｆｔ１（ｆｔ２）の振幅の２乗と、ｆｔ２（ｆｔ１）の振幅との積に比例する。よって、３次の相互変調波のほうが、ｆｔ１および／またはｆｔ２の入力の変化幅に対する出力“２×ｆｔ１-ｆｔ２（ｆｔ１−２×ｆｔ２）”の変化幅が、混合波（ｆｔ１-ｆｔ２）の場合より大きい。
【００２６】
従って、３次の相互変調波を利用する上記構成によれば、受信動作の確認または判定を容易に行うことができ、なおかつ検査に適用可能な周波数を多くできる。
【００２７】
なお、上記各ステップを含む制御方法によっても、上記と同様の効果を得ることができる。また、上記各ステップは、コンピュータによって実現してもよく、この場合には、無線通信装置が備えるコンピュータに上記各ステップを実行させる無線通信装置の制御プログラムおよびそれを記録したコンピュータ読み取り可能な記録媒体も、本発明の範疇に入る。
【００２８】
本発明に係る無線通信装置では、上記異なる２つの送信周波数帯における送信信号の周波数を、それぞれ、ｆｔ１およびｆｔ２とし、上記３次の相互変調波の周波数を、ｆｒとしたとき、ｆｒ＝２×ｆｔ１−ｆｔ２、または、ｆｒ＝ｆｔ１−２×ｆｔ２の関係であることが好ましい。
【００２９】
上記構成によれば、受信周波数帯の受信信号は、上記関係により表現されるｆｒの周波数を有する。このように受信周波数帯は、３次の相互変調波の周波数成分に対応付けることができる。
【００３０】
本発明に係る無線通信装置では、さらに、上記信号送信手段による送信の後、上記異なる２つの送信周波数帯の少なくともいずれかの送信レベルを変更し、再度、上記異なる２つの送信周波数帯における送信をそれぞれ行う信号再送信手段と、上記異なる２つの送信周波数帯における再度の送信信号を再受信信号として受信し、該再受信信号の上記増幅器への入力に応じて該増幅器の非線形性により生じる３次の相互変調波の周波数成分を取得する相互変調波再取得手段と、を備え、上記受信検査手段は、上記相互変調波取得手段が取得した上記周波数成分の受信レベルと、上記相互変調波再取得手段が取得した上記周波数成分の受信レベルとに基づいて、上記受信動作の検査を行うことが好ましい。
【００３１】
上記構成によれば、上記信号送信手段によって異なる２つの送信周波数帯での送信を行ったあと、さらに異なる２つの送信周波数帯の少なくともいずれかの送信レベルを変更し、再度、送信を行う。
【００３２】
そして、再送信前後における受信レベルに基づいて上記受信動作の検査を行うことができる。
【００３３】
上述のとおり、３次の相互変調波は、ｆｔ１および／またはｆｔ２の入力の変化幅に対する出力“２×ｆｔ１-ｆｔ２（ｆｔ１−２×ｆｔ２）”の変化幅が、比較的大きい。
【００３４】
例えば、再送信前の受信レベルをＲ、再送信後の受信レベルをＲｎとすると、ＲｎとＲとの関係が所定の関係を満たすかどうかを判定すればよい。例えば、ＲｎとＲとの差が所定の閾値以上であるかどうかを判定してもよい。また、ＲｎとＲとの比が所定の閾値以上であるかどうかを判定してもよい。また、はじめの送信における送信レベルおよび再送信における送信レベルを上記判定に用いてもよい。
【００３５】
上記構成によれば、再送信前後における受信レベルに基づいて受信動作の確認または判定を容易に行うことができる。
【００３６】
本発明に係る無線通信装置では、上記信号再送信手段は、再送信の際、異なる２つの送信周波数帯のいずれか一方の送信レベルを変更し、上記受信検査手段は、上記変更前の送信レベルと上記変更後の送信レベルとの差に対する、上記相互変調波取得手段が取得した上記周波数成分の受信レベルと上記相互変調波再取得手段が取得した上記周波数成分の受信レベルとの差の比に基づいて、上記受信動作の検査を行うことが好ましい。
【００３７】
上記構成によれば、再送信の際には、異なる２つの送信周波数帯のうちのいずれか一方の送信レベルを変更する。
【００３８】
そして、上記構成によれば、上記変更前の送信レベルと上記変更後の送信レベルとの差に対する、上記相互変調波取得手段が取得した上記周波数成分の受信レベルと上記相互変調波再取得手段が取得した上記周波数成分の受信レベルとの差の比に基づいて、上記受信動作の検査を行うことができる。
【００３９】
例えば、上記受信動作の検査は、送信レベル差に対する受信レベル差の比と、所定の閾値とを比較することにより行うことができる。
【００４０】
上述した３次の相互変調波の入出力レベルの特性により、送信レベル差よりも受信レベル差のほうが大きくなる傾向がある。
【００４１】
よって、具体的には、上記比が所定の閾値よりも大きければ、受信動作が正常であると判定することができる。一方、上記比が所定の閾値以下であれば、受信動作が異常であり接点バネの接点不良等が発生していると判定することができる。
【００４２】
上記構成によれば、それほど複雑な計算や送受信動作を行わなくても、簡易に精度よく受信動作の検査を行うことができる。
【００４３】
本発明に係る無線通信装置では、上記複数の送信周波数帯において異なる２つの送信周波数帯の組を複数有しており、上記信号送信手段は、上記異なる２つの送信周波数帯の第１の組に対応する送信信号を送信する第１の信号送信手段と、上記異なる２つの送信周波数帯の第２の組に対応する送信信号を送信する第２の信号送信手段と、を備えており、上記相互変調波取得手段は、上記第１の組の送信周波数帯により生じる３次の相互変調波の周波数成分を取得する第１の相互変調波取得手段と、上記第２の組の送信周波数帯により生じる３次の相互変調波の周波数成分を取得する第２の相互変調波取得手段と、を備えており、上記受信検査手段は、上記第１の相互変調波取得手段が取得する相互変調波の周波数成分に対応する受信周波数帯と、上記第２の相互変調波取得手段が取得する相互変調波の周波数成分に対応する受信周波数帯とにおける受信動作の検査を行う、ことが好ましい。
【００４４】
上記構成によれば、複数の受信系の受信動作の検査を行うことができる。なお、第１の組の送信周波数帯の一方と、第２の組の送信周波数帯の一方とが同じ送信周波数帯であっても構わない。
【００４５】
例えば、第１の組の送信周波数帯がＷＣＤＭＡのＢａｎｄ１１およびＷＬＡＮであり、第２の組の送信周波数帯がＷＣＤＭＡのＢａｎｄ１およびＷＬＡＮであってもよい。
【００４６】
このような組み合わせの場合、第１の組によりＤＴＶ、第２の組によりＷＣＤＭＡのＢａｎｄ１１の受信動作の検査を行うことができる。上記構成は、このように多様な受信動作の検査にも対応可能である。
【発明の効果】
【００４７】
本発明に係る無線通信装置は、複数の送信周波数帯のうちの異なる２つの送信周波数帯における信号送信をそれぞれ行う信号送信手段と、上記異なる２つの送信周波数帯における送信信号を受信信号として受信し、該受信信号の増幅器への入力に応じて該増幅器の非線形性により生じる３次の相互変調波の周波数成分を取得する相互変調波取得手段と、上記３次の相互変調波の周波数成分に対応する受信周波数帯での受信動作の検査を行う受信検査手段と、を備える構成である。
【００４８】
本発明に係る無線通信装置の制御プログラムは、複数の送信周波数帯のうちの異なる２つの送信周波数帯における信号送信をそれぞれ行う信号送信ステップと、上記異なる２つの送信周波数帯における送信信号を受信信号として受信し、該受信信号の増幅器への入力に応じて該増幅器の非線形性により生じる３次の相互変調波の周波数成分を取得する相互変調波取得ステップと、上記３次の相互変調波の周波数成分に対応する受信周波数帯での受信動作の検査を行う受信検査ステップと、を上記無線通信装置が備えるコンピュータに実行させる制御プログラムである。
【００４９】
本発明に係る無線通信装置の制御方法は、複数の送信周波数帯のうちの異なる２つの送信周波数帯における信号送信をそれぞれ行う信号送信ステップと、上記異なる２つの送信周波数帯における送信信号を受信信号として受信し、該受信信号の増幅器への入力に応じて該増幅器の非線形性により生じる３次の相互変調波の周波数成分を取得する相互変調波取得ステップと、上記３次の相互変調波の周波数成分に対応する受信周波数帯での受信動作の検査を行う受信検査ステップと、を含む方法である。
【００５０】
よって、受信動作の確認または判定を容易に行うことができ、なおかつ検査に適用可能な周波数を多くできる。
【図面の簡単な説明】
【００５１】
【図１】本発明の一実施形態に係る無線通信装置の機能的構成の一例を示す機能ブロック図である。
【図２】上記無線通信装置において用いられる検査ケース情報の具体的なデータ構成の一例について示す図である。
【図３】上記無線通信装置における受信判定処理の流れについて例示したフローチャートである。
【図４】変形例に係る無線通信装置の機能的構成の一例を示す機能ブロック図である。
【図５】上記変形例に係る無線通信装置において用いられる検査ケース情報の具体的なデータ構造の一例について示す図である。
【図６】変形例に係る無線通信装置における受信判定処理の流れについて例示したフローチャートである。
【発明を実施するための形態】
【００５２】
本発明に係る無線通信装置の一実施形態について図１〜図６に基づいて説明すれば以下のとおりである。
【００５３】
まず、図１を用いて、本実施形態に係る無線通信装置１の構成について説明する。図１は、無線通信装置１の機能的構成の一例を示す機能ブロック図である。
【００５４】
図１に示すように、無線通信装置１は、無線制御部１０、検査ケース情報記憶部２０、および無線部３０を備える構成である。
【００５５】
無線制御部１０は、無線部３０を制御して無線通信による信号の送受信を行うものである。その詳細については、後述する。
【００５６】
検査ケース情報記憶部２０は、無線制御部１０が、無線部３０の検査を実行するために参照する情報である検査ケース情報Ｄ１を記憶している。検査ケース情報Ｄ１の詳細については後述する。
【００５７】
無線部３０は、各種の無線通信方式による無線信号の送受信を行うものである。無線部３０は、具体的には、ＷＣＤＭＡ（Wideband Code Division Multiple Access）送受信部３１、ＷＣＤＭＡサブ受信部３２、ＷＬＡＮ（Wireless LAN）送受信部３３、ＤＴＶ（Digital Television）受信部３４、およびＧＰＳ（Global Positioning System）受信部３５を備える。
【００５８】
ＷＣＤＭＡ送受信部３１は、ＷＣＤＭＡ方式による無線信号の送受信を行うものであり、アンテナ接点部３１ａを介して、電波の送受信を行うＷＣＤＭＡアンテナ３１ｂと接続されている。ＷＣＤＭＡ送受信部３１は、Ｂａｎｄ１での通信において２ＧＨｚの周波数帯を使用し、Ｂａｎｄ１１での通信において１．５ＧＨｚの周波数帯を使用する。ＷＣＤＭＡ送受信部３１は、例示的に、アンテナ接点部３１ａにおいて接点バネによりＷＣＤＭＡアンテナ３１ｂと接続されている。ＷＣＤＭＡアンテナ３１ｂは、１．５ＧＨｚ、２ＧＨｚの周波数に共振するように構成されている。
【００５９】
ＷＣＤＭＡサブ受信部３２は、ＷＣＤＭＡ方式による無線信号の受信を行うものであり、アンテナ接点部３２ａを介して、電波の受信を行うＷＣＤＭＡサブアンテナ３２ｂと接続されている。ＷＣＤＭＡサブ受信部３２は、ＷＣＤＭＡ方式による無線信号のダイバーシチ受信のために設けられる。ＷＣＤＭＡサブ受信部３２は、ＷＣＤＭＡ送受信部３１と同様、Ｂａｎｄ１での受信において２ＧＨｚの周波数帯を使用し、Ｂａｎｄ１１での受信において１．５ＧＨｚの周波数帯を使用する。ＷＣＤＭＡサブアンテナ３２ｂは、１．５ＧＨｚ、２ＧＨｚの周波数に共振するように構成されている。
【００６０】
ＷＬＡＮ送受信部３３は、ＷＬＡＮ方式による無線信号の送受信を行うものであり、アンテナ接点部３３ａを介して、電波の送受信を行うＷＬＡＮアンテナ３３ｂと接続されている。ＷＬＡＮ送受信部３３は、ＷＬＡＮでの通信において２．４ＧＨｚの周波数帯を使用する。ＷＬＡＮアンテナ３３ｂは、２．４ＧＨｚの周波数に共振するように構成されている。
【００６１】
ＤＴＶ受信部３４は、ＤＴＶ方式による無線信号の受信を行うものであり、アンテナ接点部３４ａを介して、電波の送受信を行うＤＴＶアンテナ３４ｂと接続されている。ＤＴＶ受信部３４は、ＤＴＶの放送波の受信において０．５ＧＨｚの周波数帯を使用する。ＤＴＶアンテナ３４ｂは、０．５ＧＨｚの周波数に共振するように構成されている。
【００６２】
ＧＰＳ受信部３５は、ＧＰＳ方式による無線信号の受信を行うものであり、アンテナ接点部３５ａを介して、電波の受信を行うＧＰＳアンテナ３５ｂと接続されている。ＧＰＳ受信部３５は、ＧＰＳでの受信において１．５ＧＨｚの周波数帯を使用する。ＧＰＳアンテナ３５ｂは、１．５ＧＨｚの周波数に共振するように構成されている。
【００６３】
なお、ＷＣＤＭＡサブ受信部３２、ＤＴＶ受信部３４、およびＧＰＳ受信部３５は、それぞれ、アンテナから入力された受信信号を増幅・変換するＲＦチューナ（３２１、３４１、および３５１）と、ＲＦチューナから出力されるベースバンドの信号をデジタル信号にＡ／Ｄ変換して復調を行うベースバンド部（３２２、３４２、および３５２）とを備える。また、ＲＦチューナは、信号増幅のため、高周波のＬＮＡ（Low Noise Amplifier；低雑音増幅器）を有している（不図示）。
【００６４】
（相互変調波について）
ここで、増幅器（例えば、ＲＦチューナ３５１が備えるＬＮＡ）の入出力特性と、相互変調ひずみとの関係に触れつつ、相互変調波について説明すると次のとおりである。
【００６５】
増幅器の入出力特性において、入力と出力との間に非直線性があると高調波が発生する。２つの異なる周波数ｆｔ１、ｆｔ２の信号（以下、基本波ともいう）を、このような入出力特性を有する増幅器に入力した場合、増幅器の非直線性により２×ｆｔ１、２×ｆｔ２という２次高調波が発生する。
【００６６】
このとき、２次高調波２×ｆｔ１、２×ｆｔ２と、基本波ｆｔ１、ｆｔ２とにより、以下の式（１）および（２）で、それぞれ表される２つの周波数成分ｆｒＡ、ｆｒＢが発生する。
【００６７】
ｆｒＡ  ＝  ２×ｆｔ１−ｆｔ２  ・・・（１）
ｆｒＢ  ＝  ｆｔ１−２×ｆｔ２  ・・・（２）
このように、２次高調波が発生することで、基本波の周波数成分に近い周波数帯域にひずみ成分が生じる。
【００６８】
このようなひずみ成分は、２信号３次相互変調ひずみ（Inter Modulation）と呼ばれる。以下、単に、２×ｆｔ１−ｆｔ２およびｆｔ１−２×ｆｔ２の周波数成分を相互変調波と称する。
【００６９】
（検査ケース情報のデータ構造）
検査ケース情報記憶部２０に記憶されている検査ケース情報Ｄ１の具体的なデータ構造について説明する。検査ケース情報Ｄ１は、検査に用いる相互変調波を構成する基本波および２次高調波の組み合わせと、検査対象となる受信系の帯域とを定義する。
【００７０】
図２を用いて、具体的に説明すると次のとおりである。図２は、検査ケース情報Ｄ１の具体的なデータ構成について例示する図である。
【００７１】
検査ケース情報Ｄ１にはケース１、ケース２、およびケース３が含まれ、これらは、それぞれ、相互変調波ｆｒＡ＝２×ｆｔ１−ｆｔ２の場合（上記式（１）の場合）における定義を示している。ｆｔ１、ｆｔ２が基本波を示しており、２×ｆｔ１が２次高調波を示している。また、検査ケース情報では、ｆｔ１に対応するＡ帯域（すなわち、上記式（１）における２次高調波の部分を構成する周波数成分）と、ｆｔ２に対応するＢ帯域（すなわち、上記式（１）における基本波の部分を構成する周波数成分）と、Ａ帯域およびＢ帯域から得られる相互変調波ｆｒであるＣ帯域とが定義される。
【００７２】
［ケース１］
ケース１では、以下が定義される。すなわち、Ａ帯域：ｆｔ１としてＷＣＤＭＡ（図２では、“３Ｇ”と示している）のＢａｎｄ１１（１．５ＧＨｚ）の送信波が用いられる。
【００７３】
また、Ｂ帯域：ｆｔ２として、ＷＬＡＮ（２．４ＧＨｚ）の送信波が用いられる。
【００７４】
さらに、これらの送信波から生成される相互変調波により、Ｃ帯域：ｆｒを使用帯域とするＤＴＶ（０．５ＧＨｚ）の受信動作が確認される。
【００７５】
［ケース２］
ケース２では、以下が定義される。すなわち、Ａ帯域：ｆｔ１としてＷＣＤＭＡのＢａｎｄ１（２ＧＨｚ）の送信波が用いられる。
【００７６】
また、Ｂ帯域：ｆｔ２として、ＷＬＡＮ（２．４ＧＨｚ）の送信波が用いられる。
【００７７】
さらに、これらの送信波から生成される相互変調波により、Ｃ帯域：ｆｒを使用帯域とするＷＣＤＭＡのＢａｎｄ１１（１．５ＧＨｚ）（ＷＣＤＭＡサブ受信部３２）の受信動作が確認される。
【００７８】
［ケース３］
ケース３では、以下が定義される。すなわち、Ａ帯域：ｆｔ１としてＷＣＤＭＡのＢａｎｄ１（２ＧＨｚ）の送信波が用いられる。
【００７９】
また、Ｂ帯域：ｆｔ２として、ＷＬＡＮ（２．４ＧＨｚ）の送信波が用いられる。
【００８０】
さらに、これらの送信波から生成される相互変調波により、Ｃ帯域：ｆｒを使用帯域とするＧＰＳ（１．５ＧＨｚ）の受信動作が確認される。
【００８１】
なお、検査ケース情報では、ｆｔ１およびｆｔ２の帯域についての送信レベルが定義されていてもよい。
【００８２】
（無線制御部の詳細）
図１を用いて、無線制御部１０の構成の詳細について説明する。図１に示すように、無線制御部１０は、送信処理部（信号送信手段、第１の信号送信手段、第２の信号送信手段）１１、受信レベル検出部（相互変調波取得手段）１２、再送信処理部（信号再送信手段）１３、受信レベル再検出部（相互変調波再取得手段、第１の相互変調波取得手段、第２の相互変調波取得手段）１４および、受信判定部（受信検査手段）１５を備える。
【００８３】
送信処理部１１は、検査ケース情報に定義されているＡ帯域およびＢ帯域の送信方式によって、所定の送信レベルで送信処理を行う。送信処理部１１は、ＷＣＤＭＡ送受信部３１、ＷＬＡＮ送受信部３３を制御することで送信処理を行うことができる。
【００８４】
受信レベル検出部１２は、Ｃ帯域の受信レベルを検出する。受信レベル検出部１２は、受信レベルとして、例えば、ＲＳＳＩ（Received Signal Strength Indication）等を検出してもよい。受信レベル検出部１２は、ＷＣＤＭＡサブ受信部３２、ＤＴＶ受信部３４、およびＧＰＳ受信部３５を制御することで、それぞれの通信方式の使用帯域における受信レベルを検出する。
【００８５】
再送信処理部１３は、送信処理部１１の送信波の送信レベルとは異なる送信レベルでＡ帯域の送信処理を再度行う。再送信処理部１３は、ＷＣＤＭＡ送受信部３１、ＷＬＡＮ送受信部３３を制御することで送信処理を行うことができる。
【００８６】
受信レベル再検出部１４は、再送信処理部１３における再送信処理後、Ｃ帯域の受信レベルを再度検出する。なお、受信レベル再検出部１４による受信レベルの検出は、ＷＣＤＭＡサブ受信部３２、ＤＴＶ受信部３４、およびＧＰＳ受信部３５を制御することにより行う。
【００８７】
受信判定部１５は、再送信処理前後のＣ帯域の受信レベルの判定を行うことで、受信動作の検査を行う。
【００８８】
具体的には、受信判定部１５は、受信レベル検出部１２が検出したＣ帯域の受信レベルと、受信レベル再検出部１４が検出したＣ帯域の受信レベルとを比較して、受信動作の検査を行う。受信判定部１５は、例示的に、受信レベルが再送信処理前よりも再送信処理後のほうが大きいか否か、および、Ａ帯域の送信レベルの変化に対する、Ｃ帯域の受信レベルの変化の比が、所定の閾値よりも大きいか否かを判定することで受信動作の検査を行う。なお、受信判定部１５の判定内容の具体例については後述する。
【００８９】
（処理の流れ）
次に、図３を用いて、無線通信装置１の処理の流れについて説明する。図３は、無線通信装置１における受信判定処理の流れについて示したフローチャートである。
【００９０】
まず、受信判定処理を行う際には、Ａ帯域およびＢ帯域の送信動作の確認が完了しているものとする（Ｓ１１）。Ａ帯域およびＢ帯域の送信動作の確認方法については特に制限はなく任意の方法を採用することができる。
【００９１】
次に、送信処理部１１が、検査ケース情報Ｄ１の定義に従って、Ａ帯域について、送信周波数ｆｔ１、送信レベルＧ１の設定により送信処理を行う（Ｓ１２）。
【００９２】
ここで、例えば、ケース１の場合、送信周波数ｆｔ１は、ＷＣＤＭＡ・Ｂａｎｄ１１の１．５ＧＨｚである。なお、送信レベルＧ１は任意に設定することができる。
【００９３】
次に、送信処理部１１が、検査ケース情報の定義Ｄ１に従って、Ｂ帯域について、送信周波数ｆｔ２、送信レベルＧ２の設定により送信処理を行う（Ｓ１３）。
【００９４】
ここで、例えば、ケース１の場合、送信周波数ｆｔ２は、ＷＬＡＮの２．４ＧＨｚである。なお、送信レベルＧ２は任意に設定することができる。
【００９５】
さらに言えば、Ｓ１２およびＳ１３の手順は、同時に実行することも可能であるし、所定時間内で順次実行することも可能である。
【００９６】
次に、受信レベル検出部１２が、検査ケース情報Ｄ１の定義に従って、Ｃ帯域について、受信周波数ｆｒ（＝２×ｆｔ１−ｆｔ２）に合わせて受信レベル：Ｒを検出する（Ｓ１４）。なお、受信周波数ｆｒの具体例は以下のとおりである。
【００９７】
すなわち、ケース１の場合、ｆｔ１´＝１．５（ＧＨｚ）、ｆｔ２´＝２．４（ＧＨｚ）であり、ｆｒ´＝２×１．５−２．４＝０．６≒０．５（ＧＨｚ）である。
【００９８】
ケース２の場合、ｆｔ１＝２（ＧＨｚ）、ｆｔ２＝２．４（ＧＨｚ）であり、ｆｒ＝２×２−２．４＝１．６≒１．５（ＧＨｚ）である。
【００９９】
ケース３の場合、ｆｔ１´´＝２（ＧＨｚ）、ｆｔ２´´＝２．４（ＧＨｚ）であり、ｆｒ´´＝２×２−２．４＝１．６≒１．５（ＧＨｚ）である。
【０１００】
次に、再送信処理部１３が、検査ケース情報Ｄ１の定義に従って、Ａ帯域について、送信周波数ｆｔ１、送信レベルＧ１ｎ（＞Ｇ１）に設定し送信処理を行う（Ｓ１５）。
【０１０１】
例えば、ケース１の場合、再送信処理部１３は、送信周波数ｆｔ１については、Ｓ１２の送信処理のときと同様、ＷＣＤＭＡ・Ｂａｎｄ１１の１．５ＧＨｚを用いて、送信レベルのみ、Ｓ１２の送信処理のときよりも大きな送信レベルＧ１ｎに設定して送信処理を行う。
【０１０２】
次に、受信レベル再検出部１４が、検査ケース情報Ｄ１の定義に従って、Ｃ帯域について、受信周波数ｆｒ（＝２×ｆｔ１−ｆｔ２）に合わせて、再度、受信レベル：Ｒｎを検出する（Ｓ１６）。受信周波数ｆｒについてはＳ１４において説明したとおりであるので、ここではその説明を省略する。
【０１０３】
次に、受信判定部１５が受信レベルの判定を行う（Ｓ１７）。具体的には、受信判定部１５は、受信レベルが次の条件１および２を満たすか否かを判定する。
【０１０４】
［条件１］  Ｒｎ−Ｒ＞０
［条件２］  （Ｒｎ−Ｒ）／（Ｇ１ｎ−Ｇ１）＞１
条件１では、再送信処理における送信レベルＧ１ｎが、再送信処理前の送信レベルＧ１よりも大きいため、再送信処理後の受信レベルＲｎが、再送信処理前の受信レベルＲよりも大きいか否かを判定している。
【０１０５】
条件２では、送信レベルの変化幅よりも、受信レベルの変化幅のほうが大きいか否かを判定している。
【０１０６】
３次の相互変調波ｆｒ（＝２×ｆｔ１−ｆｔ２）の受信レベルは、ｆｔ１の振幅の２乗と、ｆｔ２との積に比例するため、ｆｔ１およびｆｔ２の入力レベルの変化に対して、相互変調波ｆｒの出力レベルの変化が大きくなる傾向がある。条件２では、このような３次の相互変調波の受信レベルの特性が現れているか否かを確認している。なお、条件２では、例示的に、閾値として“１”を用いているがこれに限られない。
【０１０７】
受信レベルが条件１および２の両方を満たす場合、受信判定部１５は、受信動作に問題がないと判定する（Ｓ１７においてＯＫ）。
【０１０８】
これに対し、受信レベルが条件１および２のいずれか一方を満たさない場合、受信判定部１５は、受信動作に問題があると判定する（Ｓ１７においてＮＧ）。このような場合において、受信判定部１５は、接点バネの不良か、Ｃ帯域受信系の不良等が発生していると判定してもよい（Ｓ１８）。
【０１０９】
Ｓ１７およびＳ１８では、ケース１、ケース２、および、ケース３について、それぞれ、０．５ＧＨｚ帯、１．５ＧＨｚ帯、および、１．５ＧＨｚ帯の受信レベルを判定することができる。
【０１１０】
よって、Ｓ１７およびＳ１８では、ケース１、ケース２、および、ケース３について、０．５ＧＨｚの使用帯域を有するＤＴＶ受信部３４、１．５ＧＨｚの使用帯域を有するＷＣＤＭＡサブ受信部３２、および、１．５ＧＨｚの使用帯域を有するＧＰＳ受信部３５の受信動作の検査または、ＤＴＶアンテナ接点部３４ａ、ＷＣＤＭＡサブアンテナ接点部３２ａ、および、ＧＰＳアンテナ接点部３５ａと上記各アンテナとの接点確認を行うことができる。
【０１１１】
なお、受信判定部１５は、Ｓ１４の終了時に、受信レベルＲが所定の閾値以上であるかを判定することにより受信動作の検査を行ってもよい。受信判定部１５は、受信レベルＲが所定の閾値以上であれば、正常と判定する一方で、受信レベルＲが所定の閾値未満であれば、異常が生じていると判定してもよい。
【０１１２】
また、以上の処理の流れは、例えば、無線通信装置１の出荷前の検査において実行することができる。例えば、上記処理の流れが、検査用プログラムによって実現されており、出荷前の検査の際、予め無線通信装置１に導入された上記検査用プログラムによって上記処理の流れが実行されてもよい。また、出荷前の検査終了後、出荷までの間に、上記検査用プログラムは無線通信装置１からアンインストールされてもよい。
【０１１３】
また、上記処理の流れは、無線通信装置１の通信制御を行う通信制御プログラムのデバッグモード（開発者モード）として実現されていてもよい。
【０１１４】
上記出荷前の検査では、受信動作の検査のために、特別に専用の通信設備を設けなくてもすむ。また、送信動作の検査と同じ工程で受信動作の検査が可能であるため、工程の必要エリアを削減することができる。さらには、検査工程間の移動を省くことができるので、検査時間も削減できるため、検査コストを削減することができる。
【０１１５】
（変形例）
以上では、主として、上記式（１）による受信動作の検査について説明してきたが、これに限られない。上記式（２）による受信動作の検査も可能である。
【０１１６】
以下に示す変形例に係る無線通信装置１Ａでは、上記式（２）による受信動作の検査について説明する。
【０１１７】
図４を用いて変形例に係る無線通信装置１Ａの構成について説明する。図４は、無線通信装置１Ａの機能的構成の一例を示す機能ブロック図である。
【０１１８】
図４に示すように、無線通信装置１Ａは、図１に示した無線通信装置１を以下のとおり構成変更したものである。
【０１１９】
すなわち、無線通信装置１Ａは、無線通信装置１の無線部３０および検査ケース情報記憶部２０を、それぞれ無線部３０Ａおよび検査ケース情報記憶部２０Ａに変更した構成である。
【０１２０】
検査ケース情報記憶部２０Ａは、無線制御部１０が、無線部３０Ａの検査を実行するために参照する情報である検査ケース情報Ｄ２を記憶している。検査ケース情報Ｄ２の詳細については後述する。
【０１２１】
無線部３０Ａは、無線部３０におけるＷＣＤＭＡ送受信部３１およびＷＬＡＮ送受信部３３を、それぞれ、ＷＣＤＭＡ送受信部３６およびＷＬＡＮ送受信部３７に変更した構成である。
【０１２２】
ＷＣＤＭＡ送受信部３６は、上述のＷＣＤＭＡ送受信部３１と同様、ＷＣＤＭＡ方式による無線信号の送受信を行うものであり、アンテナ接点部３６ａを介して、電波の送受信を行うＷＣＤＭＡアンテナ３６ｂと接続されている。ＷＣＤＭＡ送受信部３６は、Ｂａｎｄ１およびＢａｎｄ１１に加えてＢａｎｄ８による無線通信を行う。すなわち、ＷＣＤＭＡ送受信部３６は、Ｂａｎｄ８において０．９ＧＨｚの周波数帯を使用する。ＷＣＤＭＡアンテナ３６ｂは、０．９ＧＨｚ、または、１．５ＧＨｚ、および２ＧＨｚに共振するように構成されている。それ以外については、ＷＣＤＭＡ送受信部３１について説明したとおりであるので、ここでは、詳細な説明を省略する。
【０１２３】
ＷＬＡＮ送受信部３７は、上述のＷＬＡＮ送受信部３３と同様、ＷＬＡＮ方式による無線信号の送受信を行うものであり、アンテナ接点部３７ａを介して、電波の送受信を行うＷＬＡＮアンテナ３７ｂと接続されている。ＷＬＡＮ送受信部３７は、ＷＬＡＮでの通信において２．４ＧＨｚに加えて、５ＧＨｚの周波数帯を使用する。ＷＬＡＮアンテナ３７ｂは、２．４ＧＨｚおよび５ＧＨｚに共振するように構成されている。それ以外については、ＷＬＡＮ送受信部３３について説明したとおりであるので、ここでは、詳細な説明を省略する。
【０１２４】
（検査ケース情報のデータ構造）
図５を用いて、検査ケース情報記憶部２０Ａに記憶されている検査ケース情報Ｄ２の具体的なデータ構造について説明する。
【０１２５】
図５に示すように、検査ケース情報Ｄ２は、検査ケース情報Ｄ１と同様のデータ構造を採用しているが、定義されている検査ケースが検査ケース情報Ｄ１と異なる。
【０１２６】
すなわち、検査ケース情報Ｄ２にはケース４およびケース５が含まれ、これらは、それぞれ、相互変調波ｆｒＢ＝ｆｔ１−２×ｆｔ２の場合（上記式（２）の場合）における定義を示している。
【０１２７】
なお、ｆｔ１、ｆｔ２が基本波を示しており、２×ｆｔ２が２次高調波を示している。また、検査ケース情報では、ｆｔ１に対応するＡ帯域（すなわち、上記式（２）における基本波の部分を構成する周波数成分）と、ｆｔ２に対応するＢ帯域（すなわち、上記式（２）における２次高調波の部分を構成する周波数成分）と、Ａ帯域およびＢ帯域から得られる相互変調波ｆｒであるＣ帯域とが定義される。
【０１２８】
［ケース４］
ケース４では、以下が定義される。すなわち、Ａ帯域：ｆｔ１としてＷＬＡＮの２．４ＧＨｚの送信波が用いられる。
【０１２９】
また、Ｂ帯域：ｆｔ２として、３ＧのＢａｎｄ８（０．９ＧＨｚ）の送信波が用いられる。
【０１３０】
さらに、これらの送信波から生成される相互変調波により、Ｃ帯域：ｆｒを使用帯域とするＤＴＶ（０．５ＧＨｚ）の受信動作が確認される。
【０１３１】
［ケース５］
ケース５では、以下が定義される。すなわち、Ａ帯域：ｆｔ１としてＷＬＡＮの５ＧＨｚの送信波が用いられる。
【０１３２】
また、Ｂ帯域：ｆｔ２として、ＷＣＤＭＡのＢａｎｄ１１（１．５ＧＨｚ）の送信波が用いられる。
【０１３３】
さらに、これらの送信波から生成される相互変調波により、Ｃ帯域：ｆｒを使用帯域とするＷＣＤＭＡのＢａｎｄ１（２ＧＨｚ）（ＷＣＤＭＡサブ受信部３２）の受信動作が確認される。
【０１３４】
（処理の流れ）
次に、図６を用いて、無線通信装置１Ａの処理の流れについて説明する。図６は、無線通信装置１Ａにおける受信判定処理の流れについて示したフローチャートである。
【０１３５】
なお、図６に示すＳ２１、Ｓ２２、Ｓ２３、Ｓ２５、Ｓ２７、Ｓ２８は、それぞれ、図３に示すＳ１１、Ｓ１２、Ｓ１３、Ｓ１５、Ｓ１７、Ｓ１８と同様であるので、その説明を省略する。
【０１３６】
図６に示すＳ２４およびＳ２６では、それぞれ、図３に示すＳ１４およびＳ１６とは異なる受信周波数の受信レベルを検出する。
【０１３７】
すなわち、Ｓ２４では、受信レベル検出部１２が、検査ケース情報の定義に従って、Ｃ帯域について、受信周波数ｆｒ（＝ｆｔ１−２×ｆｔ２）に合わせて受信レベル：Ｒを検出する。
【０１３８】
また、Ｓ２６では、受信レベル再検出部１４が、Ｃ帯域について、受信周波数ｆｒ（＝ｆｔ１−２×ｆｔ２）に合わせて、再度、受信レベル：Ｒｎを検出する。
【０１３９】
なお、Ｓ２４およびＳ２６における受信周波数ｆｒの具体例は以下のとおりである。
【０１４０】
すなわち、ケース４の場合、ｆｔ１＝２．４（ＧＨｚ）、ｆｔ２＝０．９（ＧＨｚ）であり、ｆｒ＝２．４−２×０．９＝０．６≒０．５（ＧＨｚ）である。
【０１４１】
また、ケース５の場合、ｆｔ１´＝５（ＧＨｚ）、ｆｔ２´＝１．５（ＧＨｚ）であり、ｆｒ´＝５−２×１．５＝２（ＧＨｚ）である。
【０１４２】
Ｓ２７およびＳ２８では、ケース４、および、ケース５について、それぞれ、０．５ＧＨｚ帯、および、２ＧＨｚ帯の受信レベルを判定することができる。
【０１４３】
よって、Ｓ２７およびＳ２８では、ケース４、および、ケース５について、０．５ＧＨｚの使用帯域を有するＤＴＶ受信部３４、２ＧＨｚの使用帯域を有するＷＣＤＭＡサブ受信部３２の受信動作の検査または、ＤＴＶアンテナ接点部３４ａ、ＷＣＤＭＡサブアンテナ接点部３２ａと上記各アンテナとの接点確認を行うことができる。
【０１４４】
なお、無線通信装置１Ａにおいて、さらに無線通信装置１の検査ケース情報記憶部２０を設けてケース１〜ケース５の受信動作の検査が行えるようにしてもよい。
【０１４５】
すなわち、ケース１〜ケース５までの受信動作の検査は、組み合わせることが可能である。この組み合わせの検査を実施する場合、例えば、ケースごとに、Ｓ２１〜Ｓ２８までの処理の流れを実行すればよい。
【０１４６】
また、無線通信装置１Ａが備える無線部３０Ａは、５送信系および４受信系を備える構成であるが、この構成は必須ではない。無線部３０Ａをケースに応じて２送信系および１受信系を備える構成とすることも可能である。例えば、無線部３０Ａを、ケース１に応じてＷＣＤＭＡのＢａｎｄ１１およびＷＬＡＮ（２．４ＧＨｚ）の２送信系と、ＤＴＶの１受信系とから構成することも可能である。
【０１４７】
（作用・効果）
以上に示したように、無線通信装置１、１Ａは、複数の送信周波数帯と、１以上の受信周波数帯とを有し、上記受信周波数帯の受信信号を増幅する増幅器をＲＦチューナにおいて備える無線通信装置１、１Ａにおいて、上記複数の送信周波数帯のうちの異なる２つの送信周波数帯における信号送信をそれぞれ行う送信処理部１１と、上記異なる２つの送信周波数帯における送信信号を受信信号として受信し、該受信信号の上記増幅器への入力に応じて該増幅器の非線形性により生じる３次の相互変調波の周波数成分を取得する受信レベル検出部１２と、上記３次の相互変調波の周波数成分に対応する上記受信周波数帯での受信動作の検査を行う受信判定部１５と、を備える構成である。
【０１４８】
３次の相互変調波を受信動作の検査に利用する上記構成によれば、受信動作の確認または判定を容易に行うことができ、なおかつ検査に適用可能な周波数を多くできる。
【０１４９】
また、無線通信装置１、１Ａでは、さらに、送信処理部１１による送信の後、上記異なる２つの送信周波数帯の少なくともいずれかの送信レベルを変更し、再度、上記異なる２つの送信周波数帯における送信をそれぞれ行う再送信処理部１３と、上記異なる２つの送信周波数帯における再度の送信信号を再受信信号として受信し、該再受信信号の上記増幅器への入力に応じて該増幅器の非線形性により生じる３次の相互変調波の周波数成分を取得する受信レベル再検出部１４と、を備え、受信判定部１５は、受信レベル検出部１２が取得した上記周波数成分の受信レベルと、受信レベル再検出部１４が取得した上記周波数成分の受信レベルとに基づいて、上記受信動作の検査を行うことが好ましい。
【０１５０】
上記構成によれば、再送信前後における受信レベルに基づいて受信動作の確認または判定を容易に行うことができる。
【０１５１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１５２】
〔ソフトウェアによる実現例〕
最後に、無線通信装置１の各ブロック、特に無線制御部１０の送信処理部１１、受信レベル検出部１２、再送信処理部１３、受信レベル再検出部１４および、受信判定部１５は、集積回路（ＩＣチップ）上に形成された論理回路によってハードウェア的に実現してもよいし、ＣＰＵ（Central Processing Unit）を用いてソフトウェア的に実現してもよい。
【０１５３】
後者の場合、無線通信装置１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである無線通信装置１の制御プログラムのプログラムコード（実行形式プログラム、中間コードプログラム、ソースプログラム）をコンピュータで読み取り可能に記録した記録媒体を、上記無線通信装置１に供給し、そのコンピュータ（またはＣＰＵやＭＰＵ）が記録媒体に記録されているプログラムコードを読み出し実行することによっても、達成可能である。
【０１５４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１５５】
また、無線通信装置１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１５６】
本発明に係る無線通信装置は、複数の異なる送信周波数帯域を有しており、かつ、受信周波数帯域を有するネットワーク機器、例えば、無線ルータや、ノート型ＰＣ，タブレット型ＰＣ、およびスマートフォン等に幅広く適用することができる。
【符号の説明】
【０１５７】
１  無線通信装置
１０  無線制御部
１１  送信処理部（信号送信手段、第１の信号送信手段、第２の信号送信手段）
１２  受信レベル検出部（相互変調波取得手段）
１３  再送信処理部（信号再送信手段）
１４  受信レベル再検出部（相互変調波再取得手段、第１の相互変調波取得手段、第２の相互変調波取得手段）
１５  受信判定部（受信検査手段）
２０  検査ケース情報記憶部
３０  無線部
３１  ＷＣＤＭＡ送受信部
３２  ＷＣＤＭＡサブ受信部
３３  ＷＬＡＮ送受信部
３４  ＤＴＶ受信部
３５  ＧＰＳ受信部
３０Ａ  無線部
３６  ＷＣＤＭＡ送受信部
３７  ＷＬＡＮ送受信部
【図１】
2014053696.tif 000003
【図２】
2014053696.tif 000004
【図３】
2014053696.tif 000005
【図４】
2014053696.tif 000006
【図５】
2014053696.tif 000007
【図６】
2014053696.tif 000008